(57)【要約】【課題】  負荷変調動作の安定化及び通信距離の延長化を図ることができる、ＲＦＩＤ通信におけるＶＰＭ（Variable Phase Modulation）変調方式を得る。【解決手段】  非接触ＩＣカードや無線ＩＤタグシステムにおける質問器及び応答器間のデータ伝送を行うＲＦＩＤ通信において、応答器側のアンテナ回路を短絡することにより質問器側にデータ伝送を行う負荷変調方式として、“１”と“０”を表す各データの始めにパルスギャップ信号として負論理パルス信号をＴｇ時間出力し、“１”データの場合にはパルスギャップ信号の後にＨレベル信号をＴ１時間出力し、“０”データの場合にはパルスギャップ信号の後にＨレベル信号をＴ０時間出力するＶＰＭ符号化方式により負荷変調を行う。ここで、Ｔｇ時間はＴ１時間及びＴ０時間に比べ非常に短いものとし、且つＴ１時間はＴ０時間より長いものであり、更に、Ｔｇ，Ｔ１，Ｔ０時間は任意に設定可能とする。【選択図】        図１
2005151033.tif 000002
【特許請求の範囲】
【請求項１】
非接触ＩＣカードや無線ＩＤタグシステムにおける質問器（１）及び応答器（５）間のデータ伝送を行うＲＦＩＤ通信において、応答器（５）側のアンテナ回路を短絡することにより質問器（１）側にデータ伝送を行う負荷変調方式として、“１”と“０”を表す各データの始めにパルスギャップ信号として負論理パルス信号をＴｇ時間出力し、“１”データの場合にはパルスギャップ信号の後にＨレベル信号をＴ１時間出力し、“０”データの場合にはパルスギャップ信号の後にＨレベル信号をＴ０時間出力するＶＰＭ符号化方式を使用することにより、磁界又は電磁界の電力受信時間を長くして負荷変調動作の安定化及び通信距離の延長化を図ることができることを特徴とした、ＲＦＩＤ通信におけるＶＰＭ変調方式。
【請求項２】
Ｔｇ時間はＴ１時間及びＴ０時間に比べ非常に短いものとし、且つＴ１時間はＴ０時間より長いものであり、更に、Ｔｇ，Ｔ１，Ｔ０時間は任意に設定可能であることを特徴とした、請求項１に記載のＲＦＩＤ通信におけるＶＰＭ変調方式。
【発明の詳細な説明】
【技術分野】
【０００１】
本発明は、非接触ＩＣカードや無線ＩＤタグシステムにおいて質問器と称されるリーダ及び応答器と称されるトランスポンダ間のデータ伝送を行うＲＦＩＤ（Radio Frequency Identification）通信において、応答器側のアンテナ回路を短絡することにより質問器側にデータ伝送を行う負荷変調を安定して行うことができる、ＲＦＩＤ通信におけるＶＰＭ（Variable Phase Modulation）変調方式に関するものである。
【背景技術】
【０００２】
近年、個体のＩＤ識別による自動認識は、多くのサービス業，製造業，流通業，販売業及び物流などの分野で広範囲に普及している。該ＩＤ識別の手段として、従来からバーコードシステムが一般的であるが、情報の記憶容量が低いこと及び情報の書き換えができないという欠点を解決するため、非接触ＩＣカードや無線ＩＤタグシステムが注目され、普及しつつある。
【０００３】
上記非接触ＩＣカードや無線ＩＤタグシステムは、データ伝送を磁界又は電磁界の誘導結合による非接触通信即ちＲＦＩＤ通信にて行い、通信距離が数ｍｍ程度の密着型（国際標準は、ＩＳＯ／ＩＥＣ１０５３６）と、数ｃｍ〜１０ｃｍ程度の近接型（国際標準は、ＩＳＯ／ＩＥＣ１４４４３）と、５０ｃｍ〜１ｍ程度の近傍型（国際標準は、ＩＳＯ／ＩＥＣ１５６９３）がある。また、キャリア周波数は密着型で４．９１５ＭＨｚ、近接型及び近傍型で１３．５６ＭＨｚ等が一般的に使用されている。
【０００４】
図２はＲＦＩＤ通信における通信原理を説明するための構成ブロック図であり、非接触ＩＣカードや無線ＩＤタグシステムにおける質問器１と応答器５は、マイクロ波より低い周波数では誘導結合によるデータ伝送が行われている。ここで、応答器５は受動素子として質問器１から電力供給を受け、ＲＦＩＤチップ６を動作させている。即ち４．９１５ＭＨｚや１３．５６ＭＨｚ等のキャリア周波数を使用したＲＦＩＤ通信では、質問器１側のアンテナ４から送信された搬送波を応答器５側のアンテナ８で受信し、磁界又は電磁界９の誘導結合により当該アンテナ８に発生した起電力を整流及び平滑して回路電源とするため、応答器５はバッテリーを持たなくても動作可能となる。該図において、質問器１に接続されたアンテナ４から出力された磁界又は電磁界９が応答器５に接続されたアンテナ８のループを突き抜けると、誘導結合によりアンテナ８に起電力が発生する。この時、質問器１のアンテナ４には同調キャパシタ３が並列接続され、オシレータ２から出力されるキャリア周波数と一致する共振周波数の共振回路を構成している。また、応答器５のアンテナ８には同調キャパシタ７が並列接続され、質問器１から出力されたキャリア周波数に共振するように調整された共振回路を構成し、該条件の下で最大効率のＲＦＩＤ通信及び電力供給が行われる。即ち質問器１と応答器５による誘導結合は、空間を介したトランスを構成すると考えられる。
【０００５】
また、図３はＲＦＩＤ通信において質問器側から送信されるＰＰＭ（Pulse Position Modulation）変調波形例であり、（ａ）は１データ長の搬送波形を示し（ｂ）は１６進コードの“９”を送信する時の１データ長の変調波形を示している。該ＰＰＭ変調では、“０”〜“Ｆ”の１６進データをＬレベル信号の位置で表すため、質問器１から１６進コードの“９”を送信する場合、１データ長を１６個に区切った各データ領域において左から１０番目の“９”に相当するデータ領域を変調してＬレベルにすることにより、応答器５は当該Ｌレベル信号の位置を検出して“９”と識別することができる。応答器５側では当該Ｌレベル信号を受信している間は誘導結合のレベルが下がるため電力供給を受けられないが、Ｌレベル信号の期間は１データ長当り１／１６となり、応答器５の整流回路内の平滑用キャパシタに充電された電力で十分動作するように設計しておけば問題はない。該ＰＰＭ変調方式は、質問器１から応答器５にデータ伝送する変調手段として一般的に使用されている。
【０００６】
次に、図４はＲＦＩＤ通信においてマンチェスタ符号により応答器側から搬送波を負荷変調した変調波形例であり、（ａ）は質問器１から通常時即ちデータを送信していない時の搬送波形を示し（ｂ）はマンチェスタ符号による１６進コードの“９”即ち４ビットコードの“１００１”を示し（ｃ）は搬送波を前記マンチェスタ符号の“９”で負荷変調した時の変調波形を示している。該マンチェスタ符号による負荷変調では、“１”はビットの中央で負に反転（立下がり）させ“０”は正に反転（立上がり）させて表すため、１６進コードにおいてＬレベル信号とＨレベル信号の期間は１／２ずつとなる。該マンチェスタ符号による変調方式は、応答器５から質問器１にデータ伝送する際、アンテナ回路を短絡して同調を外すことにより搬送波のレベルを変化させる負荷変調方式として一般的に使用されている。
【０００７】
また、図５は従来の各種ベースバンド符号例である。（ａ）はＮＲＺ符号であり、２進数の“１”をＨレベル信号とし“０”をＬレベル信号としたものである。（ｂ）は単極ＲＺ符号であり、２進数の“１”はビット前半のＨレベル信号により表し“０”はビット全体をＬレベル信号で表したものである。また、（ｃ）はミラー符号であり、２進数の“１”はビットの中央で正又は負に反転させ“０”は前のビットレベルを継続して表したものである。
【非特許文献１】ＲＦＩＤハンドブック，Klaus Finkenzeller著、ソフト工学研究所訳、日刊工業新聞社発行
【発明の開示】
【発明が解決しようとする課題】
【０００８】
上記のように応答器側のアンテナ回路を短絡して同調を外すことにより搬送波のレベルを変化させて質問器側にデータ伝送を行う負荷変調方式において、従来のマンチェスタ符号を始めＮＲＺ符号や単極ＲＺ符号及びミラー符号等の符号化方式は、Ｈレベル信号とＬレベル信号の時間比率即ちデューティー比が１：１に等しいか又はLレベル信号の方がHレベル信号より長いものである。該符号化方式を用いた負荷変調時には応答器側のアンテナ回路をスイッチング素子により短絡して同調を外すため、この期間は搬送波のレベルが下がり誘導結合による起電力の発生が得られないことになる。このため、非接触ＩＣカードや無線ＩＤタグシステムにおけるＲＦＩＤ通信のように応答器側がバッテリーを持たない通信システムの場合、該Ｌレベル信号の長い符号化方式による負荷変調方式は、平滑用キャパシタに充電されている電力の消耗で電圧低下によりスイッチング素子を完全にＯＮできないことによる負荷変調動作の安定化及び通信距離の延長化に対して不利であった。
【０００９】
本発明は、上記問題点を解決するために成されたものであり、非接触ＩＣカードや無線ＩＤタグシステムにおけるＲＦＩＤ通信において、応答器側のアンテナ回路を短絡することにより質問器側にデータ伝送を行う負荷変調時に磁界又は電磁界の電力受信時間を長くして負荷変調動作の安定化及び通信距離の延長化を図ることができる、ＲＦＩＤ通信におけるＶＰＭ変調方式を提供することを目的とする。
【課題を解決するための手段】
【００１０】
上記課題を解決するため、本発明のＲＦＩＤ通信におけるＶＰＭ変調方式においては、非接触ＩＣカードや無線ＩＤタグシステムにおける質問器及び応答器間のデータ伝送を行うＲＦＩＤ通信において、応答器側のアンテナ回路を短絡することにより質問器側にデータ伝送を行う負荷変調方式として、“１”と“０”を表す各データの始めにパルスギャップ信号として負論理パルス信号をＴｇ時間出力し、“１”データの場合にはパルスギャップ信号の後にＨレベル信号をＴ１時間出力し、“０”データの場合にはパルスギャップ信号の後にＨレベル信号をＴ０時間出力するＶＰＭ符号化方式により負荷変調を行う。ここで、Ｔｇ時間はＴ１時間及びＴ０時間に比べ非常に短いものとし、且つＴ１時間はＴ０時間より長いものであり、更に、Ｔｇ，Ｔ１，Ｔ０時間は任意に設定可能とする。
【発明の効果】
【００１１】
本発明のＲＦＩＤ通信におけるＶＰＭ変調方式によれば、負論理パルス信号であるパルスギャップ信号に継続するＨレベル信号の長短により“１”と“０”のデータを区別する方式であり、パルスギャップ信号のパルス幅が“１”と“０”を表すパルス幅より非常に短いため、電力供給方式として質問器側アンテナから送信される変調波を応答器側アンテナで受信し磁界又は電磁界の誘導結合により発生する起電力を回路電源とする非接触ＩＣカードや無線ＩＤタグシステムにおいて、磁界又は電磁界の電力受信時間を長くすることにより電力の消耗が抑制されて電源電圧が安定し、通信動作の安定性及び通信距離の延長化に非常に有効であるという絶大な効果を奏する。
【発明を実施するための最良の形態】
【００１２】
本発明を実施するための最良の形態として、応答器側のＲＦＩＤチップをロジック回路で構成するハードウェア手段と、ＣＰＵ搭載のＲＦＩＤチップにおいてシーケンスプログラムによるソフトウェア手段がある。
【００１３】
ハードウェア手段の場合、出力すべきデータを予め書き込んでおくためのシフトレジスタと、パルスギャップ信号時間であるＴｇ時間と“０”データ時間であるＴ０時間を生成するためのクロック生成回路と、“１”データ時間であるＴ１時間を生成するためのＴ１タイマーと、データ送出回数をカウントするためのカウンタ及び周辺ゲートにより構成され、更に、上記シフトレジスタにデータ書込みやリセット信号を入力したり、信号送出開始信号を入力したり、カウンタにリセット信号を入力するための周辺ロジック回路を有する。
【００１４】
ソフトウェア手段の場合、ＣＰＵと、プログラムメモリと、周辺インターフェース回路により構成され、プログラム処理としてパルスギャップ信号時間であるＴｇ時間と“０”データ時間であるＴ０時間と“１”データ時間であるＴ１時間を生成するためのタイマー機能と、データの“１”と“０”の判断や各タイマーのタイムアウト判断及びデータ送出回数判断を行うための比較機能等を有する。
【００１５】
そして、上記ハードウェア手段又はソフトウェア手段にて生成したＶＰＭ符号出力をアンテナ回路に並列に接続したスイッチング素子に入力し、該スイッチング素子のＯＮ／ＯＦＦによりアンテナ回路を短絡／開放する負荷変調にて同調を外すことにより、質問器側にＶＰＭ変調波を出力する。
【実施例１】
【００１６】
本発明の実施例を図を用いて説明する。図７は本発明のＲＦＩＤ通信におけるＶＰＭ変調方式においてハードウェア手段によりＶＰＭ符号を生成する回路図の一実施例であり、（ａ）は基本回路構成（ｂ）はＶＰＭ符号出力波形を示す。また、図８は図７の各ポイントにおけるタイミングチャート図であり、下記にハードウェア手段による実施例を説明する。
【００１７】
まず、図７の（ａ）に示すように、データの始まりを表すパルスギャップ信号生成用としてＴｇ時間のＨレベル出力と、“０”データ生成用としてＴ０時間のＬレベル出力を有する基準クロック信号を生成することができるクロック生成回路１８の出力をゲート２０，２２に入力する。該信号は図８において[１]に示すものである。また、４ビットのデータを書き込むことができるシフトレジスタ１９に例えば“１００１”と予めデータを書いておき、その出力をゲート２０に入力する。また、ゲート２０の出力を“１”データ生成用としてｔ１時間のタイマー出力が可能なＴ１タイマー２１に入力し、該Ｔ１タイマー２１の出力をゲート２０，２２に入力する。なお、Ｔ１タイマー２１の出力は負論理パルス信号であり、通常はＨレベルである。ここで、Ｔｇ時間はＴ１時間及びＴ０時間に比べ非常に短いものとし、且つＴ１時間はＴ０時間より長いものとする。図８においてはｔ１≒Ｔ０＋Ｔｇ＋０．５＊Ｔ０であり、Ｔ１＝２＊Ｔ０＋Ｔｇとなるが、Ｔ１，Ｔ０及びＴｇ時間はＴ１タイマー２１やクロック生成回路１８の回路構成及び時定数により任意に設定できるものである。
【００１８】
次に、上記シフトレジスタ１９内のデータを出力するため、信号送出開始信号をゲート２０，２２に入力する。該信号は図８において[２]に示すものであり、パルスギャップ信号の立上がりに同期した正論理パルス信号である。ここで、該信号によりゲート２２からパルスギャップ信号が出力され、カウンタ２３とゲート２４に入力される。該カウンタ２３はデータビットの送出回数をカウントするものであり、信号送出開始信号の入力によりセットされ、４ビットのデータ送出後のパルスギャップ信号の立下がりでリセットされ、信号送出完了信号として出力される正論理パルス信号である。該信号は図８において[７]に示すものである。また、ゲート２４にはカウンタ２３の出力が入力され、セットされている間ゲート２２からの入力をゲート２４より出力し、シフトクロック信号としてシフトレジスタ１９に入力される。該信号は図８において[８]に示すものであり、[６]，[７]信号の論理積である。
【００１９】
上記シフトクロック信号によりシフトレジスタ１９から出力されたデータは順次ゲート２０に入力される。該信号は図８において[３]に示すものである。ここで、データが“１”の場合、ゲート２０よりパルスギャップ信号が出力される。該信号は図８において[４]に示すものであり、[１]，[２]，[３]，[５]信号の論理積である。そして、該信号の立下がりによりＴ１タイマー２１がスタートし、ｔ１時間の負パルス信号が発生する。該信号は図８において[５]に示すものである。該信号の出力中はゲート２０，２２，２４を閉じるため、基準クロック信号によるデータのシフトが行われず、“１”データを示すＴ１時間のＬレベルが維持されることになる。また、Ｔ１タイマー２１が終了し、Ｔ１タイマー２１の出力がＨレベルに戻ると再びゲート２０，２２，２４が開き、次の基準クロック信号を受付けるようになり、シフトクロック信号としてシフトレジスタ１９に入力されデータシフトが行われることになる。該シフトクロック信号は図８において[６]に示すものであり、[１]，[２]，[５]信号の論理積である。
【００２０】
シフトレジスタ１９のデータシフトが４回行われるとカウンタ２１の出力はパルスギャップ信号の立下がりでリセットされる。そして、該信号により信号送出開始信号もリセットされ、ゲート２０，２２を閉じてデータの送出が終了することになる。また、上記ゲート２２の出力をインバータ２５に入力して論理反転した出力がＶＰＭ符号出力となり、図７の（ｂ）及び図８における[９]に示すものである。
【００２１】
次に、図９は本発明のＲＦＩＤ通信におけるＶＰＭ変調方式においてソフトウェア手段によりＶＰＭ符号を生成するシーケンス図の一実施例であり、下記にソフトウェア手段による実施例を説明する。
【００２２】
まず、プログラムより信号送出開始が実行されると、処理Ｓ１としてパルスギャップ信号であるパルス幅Ｔｇの負パルス信号を出力する。該パルス幅Ｔｇはプログラムによるカウンタにより任意に設定できるものである。次に、処理Ｓ２としてメモリ内のレジスタに蓄積しておいた送出データを読む。次に、処理Ｓ３として読み込んだデータが“１”か“０”かの判断を行う。
【００２３】
データが“１”の場合は、処理Ｓ４としてＴ１タイマーをスタートさせる。そして、データをＨレベルに保持したまま処理Ｓ６としてＴ１タイマーの終了を監視し、タイムアウトになれば処理Ｓ８に移る。また、データが“０”の場合は、処理Ｓ５としてＴ０タイマーをスタートさせる。そして、データをＨレベルに保持したまま処理Ｓ７としてＴ０タイマーの終了を監視し、タイムアウトになれば処理Ｓ８に移る。ここで、Ｔｇ時間はＴ１時間及びＴ０時間に比べ非常に短いものとし、且つＴ１時間はＴ０時間より長いものとする。また、Ｔ１及びＴ０時間は各々Ｔ１タイマー及びＴ０タイマーにより任意に設定できるものである。
【００２４】
次に、処理Ｓ８として送出カウンタをインクリメントする。該送出カウンタは、送出データが例えば4ビットの場合、1ビット送出ごとに１だけインクリメントするアップカウンタであり、送出カウンタが４となれば全てのビットを送出したと判断するものである。なお、送出カウンタに予め４をセットしておき、1ビット送出ごとに１だけデクリメントするダウンカウンタとし、送出カウンタが０となれば全てのビットを送出したと判断するものとしても構わない。そして、処理Ｓ９にて送出カウンタが規定の値になったかどうかで送出完了かどうかを判断し、未完了の場合は処理Ｓ１に戻り再度処理を行う。また、完了の場合は信号送出終了となり処理を終了する。
【００２５】
次に、図６は本発明のＲＦＩＤ通信におけるＶＰＭ変調方式を実現するための応答器側の回路ブロック図であり、ハードウェア手段によりＶＰＭ変調波を生成する方法を説明する。
【００２６】
図６及び図２に示すように、応答器５は質問器１側のアンテナ４から送信される磁界又は電磁界９による変調波を受信するためのアンテナ８と、該アンテナ８と共振して最大効率のＲＦＩＤ通信及び電力供給を行うための同調用キャパシタ７と、該共振回路に誘導された変調波より回路電源を得るための整流回路１０と、パワーオン電圧を検出するための電圧検出回路１１と、変調波のエンベロープを検出してデータ信号を取り出すための復調回路１２と、システムクロックを生成するためのクロック生成回路１３と、アンテナ８及び同調用キャパシタ７で構成された共振回路を負荷変調させるためのＶＰＭ変調回路１６及びスイッチング素子１７と、前記電圧検出回路１１と復調回路１２とクロック生成回路１３からの信号を入力して応答データの生成及び通信制御を行うためのロジック回路１４と、前記復調回路１２から得られた入力データを蓄積したりレジスタ機能を果たすためのメモリ回路１５等にて構成する。
【００２７】
上記各回路ブロックで構成した応答器５と質問器１との間でＲＦＩＤ通信を行う場合、質問器１はオシレータ２を制御し図３で説明したＰＰＭ変調によりデータを送信する。該データはアンテナ４より磁界又は電磁界９として応答器５側のアンテナ８を突き抜け、誘導結合により当該アンテナ８に起電力が発生する。応答器５のアンテナ８には同調キャパシタ７が並列接続され、質問器１から出力されたキャリア周波数に共振するように調整された共振回路を構成し、該条件の下で最大効率のＲＦＩＤ通信及び電力供給が行われる。
【００２８】
アンテナ８に誘起された変調波は、整流回路１０により整流され直流電力として平滑用キャパシタ（図示せず）に充電される。また、該変調波のエンベロープを復調回路１２により検出しＰＰＭ符号によるデータ信号としてロジック回路１４に入力し、変調波の搬送波成分を波形成形してクロック生成回路１３で分周しシステムクロックとしてロジック回路１４に入力する。更に、ロジック回路１４をリセットするためのパワーオン信号を電圧検出回路１１により検出して入力する。
【００２９】
上記動作により質問器１から送信されたコマンドを応答器５で解析し必要データを質問器１側に送信する場合、ＶＰＭ変調回路１６により図１の（ａ）に示すようなＶＰＭ符号に変換し、アンテナ８に並列接続されたスイッチング素子１７を駆動する。該スイッチング素子１７はＦＥＴが好適である。そして、パルスギャップ信号即ちＬレベル信号を出力する時にはスイッチング素子１７のゲートをＯＮにすることによりアンテナ回路が短絡され、Ｈレベル信号を出力する時にはスイッチング素子１７のゲートをＯＦＦにすることによりアンテナ回路が開放され、搬送波の負荷変調が行われる。なお、スイッチング素子１７の制御入力の論理が逆の場合には、図１の（ａ）に示すようなＶＰＭ符号の論理も逆にする必要がある。
【００３０】
図１は本発明のＲＦＩＤ通信におけるＶＰＭ変調方式により応答器側から搬送波を負荷変調した変調波形例であり、（ａ）はＶＰＭ符号による１６進コードの“９”即ち４ビットコードの“１００１”を示し（ｂ）は搬送波を前記ＶＰＭ符号の“９”で負荷変調した時の変調波形を示している。上記ハードウェア手段又はソフトウェア手段にて生成したＶＰＭ符号により負荷変調させたＶＰＭ変調方式は、非接触ＩＣカードや無線ＩＤタグシステムにおけるＲＦＩＤ通信において、質問器１側のアンテナ４から送信される変調波を応答器５側のアンテナ８で受信し磁界又は電磁界９の誘導結合により発生する起電力を回路電源とする用途において、磁界又は電磁界の電力受信時間を長くすることにより電力の消耗が抑制されて電源電圧が安定するため、負荷変調動作の安定化及び通信距離の延長化を図ることができる。
【００３１】
なお、上記説明のハードウェア手段の実施例における符号生成回路及びソフトウェア手段の実施例における符号生成シーケンスはＶＰＭ符号を生成するための一実施例であり、本発明のＲＦＩＤ通信におけるＶＰＭ変調方式を実施することができるものであれば、如何なる回路構成やシーケンス処理であっても構わない。なお、変調度は電波法の規定範囲を超えないよう使用するシステムにより任意に設定する。
【図面の簡単な説明】
【００３２】
【図１】本発明のＲＦＩＤ通信におけるＶＰＭ変調方式により応答器側から搬送波を負荷変調した変調波形例である。
【図２】ＲＦＩＤ通信における通信原理を説明するための構成ブロック図である。
【図３】ＲＦＩＤ通信において質問器側から送信されるＰＰＭ変調波形例である。
【図４】ＲＦＩＤ通信においてマンチェスタ符号により応答器側から搬送波を負荷変調した変調波形例である。
【図５】従来の各種ベースバンド符号例である。
【図６】本発明のＲＦＩＤ通信におけるＶＰＭ変調方式を実現するための応答器側の回路ブロック図である。
【図７】本発明のＲＦＩＤ通信におけるＶＰＭ変調方式においてハードウェア手段によりＶＰＭ符号を生成する回路図の一実施例である。
【図８】図７の各ポイントにおけるタイミングチャート図である。
【図９】本発明のＲＦＩＤ通信におけるＶＰＭ変調方式においてソフトウェア手段によりＶＰＭ符号を生成するシーケンス図の一実施例である。
【符号の説明】
【００３３】
１  質問器
２  オシレータ
３  同調キャパシタ
４  アンテナ
５  応答器
６  ＲＦＩＤチップ
７  同調キャパシタ
８  アンテナ
９  磁界又は電磁界
１０  整流回路
１１  電圧検出回路
１２  復調回路
１３  クロック生成回路
１４  ロジック回路
１５  メモリ回路
１６  ＶＰＭ変調回路
１７  スイッチング素子
１８  クロック生成回路
１９  シフトレジスタ
２０  ゲート
２１  Ｔ１タイマー
２２  ゲート
２３  カウンタ
２４  ゲート
２５  インバータ
【図１】
2005151033.tif 000003
【図２】
2005151033.tif 000004
【図３】
2005151033.tif 000005
【図４】
2005151033.tif 000006
【図５】
2005151033.tif 000007
【図６】
2005151033.tif 000008
【図７】
2005151033.tif 000009
【図８】
2005151033.tif 000010
【図９】
2005151033.tif 000011